(57)【要約】      （修正有）【課題】縫い目の支持力を高めるとともに、人体が縫い目に嵌めることによる不快感を抑制できるベッド用マットレスを提供する。【解決手段】第一マット２０は第一頂面２１および第一連結端２２を有する。第二マット３０は第二頂面３１および第二連結端３２を有する。第二頂面３１と第一頂面２１とは並列に配置されており、その間に連結線２５が形成されている。第二連結端３２と第一連結端２２とは相互に嵌合および当接されている。第一マット２０および第二マット３０のうちの少なくとも一方は、第一頂面２１および第二頂面３１のうち少なくとも一方に直交する支持部３４を有する。支持部３４は連結線２５の重力方向の下側に位置している。【選択図】図２
0003184113.tif 000002
【実用新案登録請求の範囲】
【請求項１】
第一マットおよび第二マットを備え、
前記第一マットは、第一頂面および第一連結端を有し、
前記第二マットは、第二頂面および第二連結端を有し、
前記第二頂面と前記第一頂面とは、並列に配置されており、その間に連結線が形成されており、
前記第二連結端と前記第一連結端とは、相互に嵌合および当接されており、
前記第一マットおよび前記第二マットのうちの少なくとも一方には、前記第一頂面および前記第二頂面のうち少なくとも一方に直交する支持部が形成されており、当該支持部は前記連結線の重力方向の下側に位置していることを特徴とするベッド用マットレス。
【請求項２】
前記第一連結端は、前記第一頂面と繋がる第一延べ面を有し、当該第一延べ面と前記第一頂面との間の角度は鋭角であり、
前記第二連結端は、前記第二頂面と繋がる第二延べ面を有し、当該第二延べ面と前記第二頂面との間の角度は鈍角であり、
前記鈍角と前記鋭角とは相互に補角の関係であり、前記第二延べ面と前記第一延べ面とは相互に当接されていることを特徴とする請求項１に記載のベッド用マットレス。  
【請求項３】
前記鋭角は、２０度以上、７０度以下であることを特徴とする請求項２に記載のベッド用マットレス。
【請求項４】
前記第一延べ面は、凹状円弧面であり、
前記第二延べ面は、凸状円弧面であることを特徴とする請求項２に記載のベッド用マットレス。
【請求項５】
前記第一連結端は、前記第一延べ面と繋がっている第三延べ面を有し、
前記第二連結端は、前記第二延べ面と繋がっている第四延べ面を有することを特徴とする請求項２に記載のベッド用マットレス。
【請求項６】
前記支持部は、前記第二マットに形成されていることを特徴とする請求項２に記載のベッド用マットレス。
【請求項７】
前記支持部は、前記第一マットおよび前記第二マットの両方に形成されていることを特徴とする請求項１に記載のベッド用マットレス。
【請求項８】
連結層をさらに備え、
当該連結層は、前記第一マットおよび前記第二マットの表面に設けられていることで前記第一マットと前記第二マットとを連結することを特徴とする請求項１に記載のベッド用マットレス。
【考案の詳細な説明】
【技術分野】
【０００１】
本考案は、ベッド用マットレスに関し、詳しくは複数の相互に当接するマットを有するベッド用マットレスに関するものである。
【背景技術】
【０００２】
図１に示すように、従来のベッド用マットレス１は、ベッドフレーム２に置かれ、かつ二つの相互に当接するマット３、４を有する。二つのマット３、４は相互に当接する部位に縫い目５を有する。縫い目５はマット３、４の頂面に直交する。
【０００３】
このような構造は、縫い目５のあたりの支持性がよくないだけでなく、人体部位（例えば尻、肘）が縫い目５に嵌り、ユーザーに不快な感じを与えるおそれがある。
【考案の概要】
【考案が解決しようとする課題】
【０００４】
本考案は、縫い目の支持力を高めることが可能であるベッド用マットレスを提供することを主な目的とする。
【課題を解決するための手段】
【０００５】
上述の目的を達成するために、本考案によるベッド用マットレスは、第一マットおよび第二マットを備える。第一マットは第一頂面および第一連結端を有する。第二マットは第二頂面および第二連結端を有する。第二頂面と第一頂面とは並列に配置されており、その間に連結線が形成されている。第二連結端と第一連結端とは相互に嵌合および当接されている。第一マットおよび第二マットのうちの少なくとも一方は、第一頂面および第二頂面のうち少なくとも一方に直交する支持部を有する。支持部は連結線の重力方向の下側に位置している。
【０００６】
上述した設計により、連結線の受けた力は支持部によって支えられるため、人体部位がベッド用マットレスの縫い目に嵌ることを抑制し、ユーザーの不快な感じを抑制することができる。
【図面の簡単な説明】
【０００７】
【図１】従来のベッド用マットレスを示す側面図である。
【図２】本考案の第１実施形態によるベッド用マットレスを示す側面図である。
【図３】本考案の第１実施形態によるベッド用マットレスを示す側面図の一部分である。
【図４】図３の一部を示す拡大図である。
【図５】本考案の第２実施形態によるベッド用マットレスを示す側面図である。
【図６】本考案の第３実施形態によるベッド用マットレスを示す側面図である。
【図７】本考案の第４実施形態によるベッド用マットレスを示す側面図である。
【図８】本考案の他の実施形態によるベッド用マットレスを示す側面図である。
【図９】本考案の他の実施形態によるベッド用マットレスを示す側面図である。
【考案を実施するための形態】
【０００８】
以下、本考案の実施形態によるベッド用マットレスを図面に基づいて説明する。
（第１実施形態）
図２に示すように、本考案の第１実施形態によるベッド用マットレス１０は、第一マット２０および第二マット３０を備える。ベッド用マットレス１０はベッドフレーム２上に置かれ、使用されるが、これに限らず、状況に応じて直接床に置かれて使用されてもよい。ベッドフレーム２は折畳式ベッドフレームまたは固定式ベッドフレームである。
【０００９】
第一マット２０は、第一頂面２１および第一連結端２２を有する。第一連結端２２は第一頂面２１と繋がる第一延べ面２２１を有する。第一延べ面２２１と第一頂面２１との間の角度は鋭角である。
【００１０】
第二マット３０は、第二頂面３１および第二連結端３２を有する。第二頂面３１と第一頂面２１とは並列に配置されており、その間に連結線２５が形成されている。第二連結端３２と第一連結端２２とは相互に嵌合および当接する。第二連結端３２は第二頂面３１と繋がる第二延べ面３２１を有する。第二延べ面３２１と第二頂面３１との間の角度は鈍角である。前記鈍角と前記鋭角とは、相互に補角の関係であり、合わせて１８０度である。第二延べ面３２１は第一延べ面２２１に当接し、かつ第一延べ面２２１の下側から斜めに伸びる。
第二マット３０には、第一頂面２１および第二頂面３１に直交する支持部３４が形成されている。支持部３４は連結線２５の重力方向の下側に位置する。
【００１１】
上述した構造により、第一連結端２２と第二連結端３２との間の縫い目１５は第一頂面２１および第二頂面３２に直交しない。本考案を使用する際、連結線２５の受けた力は支持部３４によって支えられ、第一延べ面２２１は第二延べ面３２１によって支えられるため、ユーザーの身体部位が縫い目１５に当たる際、縫い目１５は凹み過ぎることがなく、ユーザーの不快な感覚を緩和することができる。
適切な支持力を提供するために、第一延べ面２２１と第一頂面２１との間の鋭角は２０度以上、かつ７０度以下であれば好ましい。
【００１２】
本考案において、第一マット２０および第二マット３０は独立のユニットであってもよい。ベッド用マットレス１０を収納する際、第一マット２０と第二マット３０を別々に搬送、収納することができる。図３および図４に示すように、ベッド用マットレス１０はさらに連結層４０を備える。連結層４０は第一マット２０の底面２３および第二マット３０の底面３３に設けられていることで第一マット２０および第二マット３０を連結する。ベッド用マットレス１０を収納する際、第一マット２０と第二マット３０とを向かい合わせながら回し、底面２３および底面３３を相互に密着させ、畳めばよい。別の実施形態において、連結層は第一マットおよび第二マットの底面以外の表面（例えば頂面または側面）に配置されることで第一マットおよび第二マットを連結する。
【００１３】
（第２実施形態）
第１実施形態において、第一延べ面２２１と第二延べ面３２１は両方とも平面であるが、これに限らず、相互に嵌合する非平面であってもよい。図５に示すように、本考案の第２実施形態でおいて、第一延べ面２２１は凹状円弧面であるのに対し、第二延べ面３２１は凸状円弧面である。このような形は縫い目１５の支持性を向上させることができるだけでなく、ユーザーはベッド用マットレス１０の上で寝る時に、縫い目１５を感じない。
【００１４】
（第３実施形態および第４実施形態）
一方、図６に示した第３実施形態および図７に示した第４実施形態において、第一連結端２２はさらに第一延べ面２２１と繋がる第三延べ面２２２を有する。第二連結端３２はさらに第二延べ面３２１と繋がる第四延べ面３２２を有する。図６に示すように、第三延べ面２２２および第四延べ面３２２は底面２３、３３に直交してもよい。或いは図７に示すように、第三延べ面２２２および第四延べ面３２２と底面２３、３３とは直交せずに交差してもよい。
【００１５】
（他の実施形態）
上述した実施形態において、第一延べ面２２１および第二延べ面３２１と第一頂面２１及び第二頂面３１とは直交していないが、これに限らない。図８に示した他の実施形態において、第一延べ面２２１および第二延べ面３２１と第一頂面２１及び第二頂面３１とは直交し、第三延べ面２２２および第四延べ面３２２と第一頂面２１おとび第二頂面３１とは直交せずに交差し、連結線２５の重力方向下側に支持部３４が形成されているため、適切な支持力を得ることができる。
【００１６】
上述した実施形態のいずれも、第一マット２０に支持部が設けられておらず、第二マット３０に支持部が設けられているが、これに限らない。図９に示した別の実施形態では、第一マット２０に支持部２４が設けられ、第二マット３０に支持部３４が設けられ、連結線２５の受けた力に確実に耐えることができる。
以上、本考案は、上記実施形態になんら限定されるものではなく、考案の趣旨を逸脱しない範囲において種々の形態で実施可能である。
【符号の説明】
【００１７】
１０：ベッド用マットレス、
１５：縫い目、
２０：第一マット、  
２１：第一頂面、  
２２：第一連結端、  
２２１：第一延べ面、  
２２２：第三延べ面、  
２３：底面、  
２４：支持部、  
２５：連結線、  
３０：第二マット、  
３１：第二頂面、  
３２：第二連結端、  
３２１：第二延べ面、  
３３：底面、  
３４：支持部、  
３２２：第四延べ面、  
４０：連結層。
【図１】
0003184113.tif 000003
【図２】
0003184113.tif 000004
【図３】
0003184113.tif 000005
【図４】
0003184113.tif 000006
【図５】
0003184113.tif 000007
【図６】
0003184113.tif 000008
【図７】
0003184113.tif 000009
【図８】
0003184113.tif 000010
【図９】
0003184113.tif 000011